【事件の表示】
　特願２００１−４００１５２「プラズマディスプレイパネル」拒絶査定不服審判事件〔平成１５年　７月１８日出願公開、特開２００３−２０３５７０〕について、次のとおり審決する。
【結　論】
　本件審判の請求は、成り立たない。
【理　由】
１　手続の経緯・本願発明  
　本願は、平成１３年１２月２８日の出願であって、平成１８年７月２１日付け拒絶理由通知に対して同年９月７日付けで明細書についての補正（以下、「補正１」という。）がなされ、平成１９年１月２９日付け最後の拒絶理由通知に対して同年４月６日付けで明細書についての補正（以下、「補正２」という。）がなされ、同年５月７日付けで補正２について補正却下の決定がなされるとともに拒絶査定がなされ（発送日：同年５月１５日）、これに対して同年６月１４日に拒絶査定不服審判が請求されるとともに明細書についての補正（以下、「補正３」という。）がなされたものである。
　そして、補正３によって補正された特許請求の範囲の請求項１と、補正１によって補正された特許請求の範囲の請求項１とを比較すると、補正３により特許請求の範囲についてした補正は、補正１によって補正された特許請求の範囲の請求項１の明りようでない記載の釈明を目的としたものといえる。
　してみると、本願請求項１に係る発明は、補正３により補正された明細書の記載からみてその特許請求の範囲の請求項１に記載された事項により特定される以下のとおりのものと認められる。
「放電セルを構成するための対を成す複数の電極と遮光層を覆う誘電体層を形成した前面基板と、放電により発生する紫外線を可視光に変換する蛍光体層を形成した背面基板とを備え、前記前面基板と前記背面基板とを対向して配置したプラズマディスプレイパネルであって、前記遮光層を誘電体層表面に投影した領域の少なくとも一部と重なり、かつ前記電極を誘電体層表面に投影した領域の少なくとも一部と重ならないように、誘電体層表面に反射層を配置したことを特徴とするプラズマディスプレイパネル。」（以下、「本願発明」という。）
　ここで、本願発明の「前記前面基板と前記背面基板とを対抗して」は、発明の詳細な説明の記載から「前記前面基板と前記背面基板とを対向して」の誤記であると認められるので、上記のとおり認定した。
　
２　引用例記載の発明・事項 
　原査定の拒絶の理由に引用され、本願出願前に頒布された刊行物である特開２０００−１３３１４７号公報（以下、「引用例」という。）には、次の事項（ａ）乃至（ｃ）が図１及び図２とともに記載されている。
 　
（ａ）「【０００２】
【従来の技術】大型で且つ薄型のカラー表示装置としてプラズマディスプレイパネル（ＰＤＰ）の実用化が進んでいる。マトリクス表示方式の面放電型プラズマディスプレイパネルは、放電空間を区画する一対の表示電極を同一の基板に隣接配置した構造を有しているため、画面の高精細化を図ると、隣接する放電空間からの光が漏れ込み画面のコントラストが悪化する問題が生じる。そこで、従来から、放電空間を挟んで対向配置した一対の表示ラインと隣接する表示ラインとの間に外光反射のための遮光層４を設ける方法が採用されている。図３は遮光層４を設けたプラズマディスプレイパネルの内部構造を示す要部断面図である。」
（ｂ）「【０００５】
【発明が解決しようとする課題】上述したように、表示ラインＬの間の金属電極で囲まれた領域と重なるように遮光層４を設けると、外光反射を軽減するためには有用であるが、蛍光体層１１から発光する色光が吸収されてしまい、結果として、発光効率が低下するという問題が生じる。本発明は、上述の問題点を解決するためのものであり、外光反射を軽減すると共に、発光効率の低下を軽減することができるプラズマディスプレイパネルを提供することを目的とする。」
（ｃ）「【０００９】
【作用】本発明のプラズマディスプレイパネルは、放電空間を挟んで対向配置した一対の基板の表示面側の基板の内面に表示ライン毎にライン方向に伸びる一対の電極を有し、表示面側の基板の内面側に、表示ラインの間の電極で囲まれた領域と重なるように遮光層を配置し、遮光層の背面側に光反射層を設けて構成することにより、遮光層で外光反射を軽減し、光反射層で蛍光体層で発光した色光を反射するように作用する。
【００１０】また、放電空間を挟んで対向配置した一対の基板の表示面側の基板の内面に表示ライン毎にライン方向に伸びる一対の電極を有し、電極は、誘電体層によって放電空間に対して被覆され、表示ラインの間の電極で囲まれた領域の誘電体層表面を他の部分に比して突出させ、誘電体層の突出部を黒色の遮光層とし、遮光層の背面側に光反射層を設けて構成することにより、表示面側では外光反射を軽減し、背面側では光反射層により蛍光体層から発光する色光を反射させて発光効率の低下を軽減するように作用する。
【００１１】
【発明の実施の形態】図１は、本発明の第１実施形態に係るプラズマディスプレイパネルの要部断面図である。図１に基づいてプラズマディスプレイパネルの構造を説明する。尚、従来例と同一の機能を有する部分には、同一の符号を付してある。
【００１２】本発明の第１実施形態のプラズマディスプレイパネルにおいて、表示面側のガラス基板１の内面には、表示ラインＬ毎に放電ギャップＷを隔ててライン方向に伸びる一対の行電極が形成され、行電極は透明導電膜からなる透明電極２と、透明導電膜の導電性を補うために放電ギャップＷと反対側の透明電極２上に形成された黒色導電層３ａと、主導電層３ｂからなる金属電極３とで構成されている。黒色導電層３ａは、主導電層３ｂによる外光反射を軽減するために設けられ、黒色導電層３ａは黒色顔料を混入させた銀ペーストを塗布し、パターンニングして形成し、主導電層３ｂは銀ペーストを塗布し、パターンニングして形成している。
【００１３】また、表示面側のガラス基板１の内面には、一対の表示ラインＬと隣接する一対の表示ラインＬの間の透明電極２、２で囲まれた領域に重なるように黒色層からなる遮光層４（光吸収層）と、遮光層４を被覆するように白色層からなる光反射層５が積層されている。黒色層及び白色層は、それぞれ、黒色顔料及び白色顔料を混入させたガラスペーストをスクリーン印刷し、焼成することで形成される。透明電極２及び金属電極３と、遮光層４に積層された光反射層５は、誘電体層６で覆われ、その上にＭｇＯ層７が設けられている。尚、黒色層及び白色層は、黒色顔料及び白色顔料のみからなる層で形成しても良い。
【００１４】一方、背面側のガラス基板９上には、列電極１０が設けられ、列電極１０を被覆して蛍光体層１１が形成されている。表示面側のガラス基板１の表示ラインＬと、背面側のガラス基板９の列電極１０は、互いに直交するように配置され表示面側のガラス基板１と背面側のガラス基板９が離間配置されて放電空間８が形成され、この放電空間８内に希ガスを注入し、封入される。
【００１５】上述したように、第１実施形態のプラズマディスプレイパネルは、表示ラインＬの間の行電極（透明電極２、２）で囲まれた領域と重なるように表示面側のガラス基板１の内面に、表示面側に黒色層からなる遮光層４及び背面側に白色層からなる光反射層５を形成した。このように構成することにより、遮光層４により外光反射を軽減し、光反射層５により蛍光体層１１から発光する色光を反射させて効率良く開口部から取出し、発光効率の低下を軽減することができる。また、金属電極３は、黒色導電層３ａと主導電層３ｂの２層で構成し、表示面側に黒色導電層３ａを、背面側に主導電層３ｂを配置することにより、主導電層３ｂによる外光反射が軽減され表示ラインＬのコントラストを向上させることができる。
【００１６】図２は、本発明の第２実施形態に係るプラズマディスプレイパネルの要部断面図である。図２に基づいて第２実施形態に係るプラズマディスプレイパネルの構造を説明するに際し、第１実施形態と同一の機能を有する部分には、同一の符号を付してある。
【００１７】先ず、表示面側のガラス基板１の内面には、第１実施形態と同様に、表示ラインＬ毎に放電ギャップＷを隔ててライン方向に伸びる一対の透明導電膜からなる透明電極２と、黒色導電層３ａ及び主導電層３ｂからなる金属電極３が積層され、透明電極２及び金属電極３は、誘電体層６で覆われている。また、１の表示ラインＬの金属電極３と、隣接する他の表示ラインＬの金属電極３とで囲まれた領域及び金属電極３と重なる誘電体層６の表面には、他の部分に比して突出させた突出部（嵩上げ誘電体層）１２を設け、当該突出部（嵩上げ誘電体層）１２を黒色誘電体層１２ａ（遮光層）と白色誘電体層１２ｂ（光反射層）の２層で構成している。また、背面側の構成は、第１実施形態と同一であり、重複を避け説明を省略する。
【００１８】黒色誘電体層１２ａ（遮光層）と白色誘電体層１２ｂ（光反射層）は、それぞれ、黒色顔料、白色顔料を混入させたガラスペーストを金属電極３及び隣接する金属電極３間（表示ラインの間の行電極で囲まれた領域）及び金属電極３と重なる誘電体層６の表面に順次スクリーン印刷して焼成することにより形成される。尚、上述の白色誘電体層の代わりに金属反射層からなる光反射層を形成するようにしても良い。
【００１９】上述したように、第２実施形態によるプラズマディスプレイパネルは、金属電極３及び隣接する金属電極３間と重なる誘電体層６の表面を他の部分に比して突出させた嵩上げ誘電体層１２を設け、表示面側を黒色誘電体層１２ａ（遮光層）で形成し、背面側を白色誘電体層１２ｂ（光反射層）で構成することにより、黒色誘電体層１２ａによって外光反射を軽減し、白色誘電体層１２ｂにより蛍光体層１１から発光する色光を反射させて発光効率の低下を軽減することができる。」
　
　したがって、上記記載事項（ａ）乃至（ｃ）、図１及び図２に基づけば、引用例には、次の発明が記載されていると認められる。
「放電空間８を構成するための対を成す複数の電極２，３と遮光層４を覆う誘電体層６を形成した表示面側のガラス基板１と、放電により発生する紫外線を可視光に変換する蛍光体層１１を形成した背面側のガラス基板９とを備え、前記表示面側のガラス基板１と前記背面側のガラス基板９とを対向して配置したプラズマディスプレイパネルであって、誘電体層６の表面に垂直な方向にみて、前記遮光層４の少なくとも一部と重なり、かつ前記電極２，３の少なくとも一部と重ならないように、誘電体層６に覆われて光反射層５を配置したプラズマディスプレイパネル。」（以下、「引用発明」という。）
　
３　対比
　本願発明と引用発明とを比較する。
　引用発明の「放電空間８」、「表示面側のガラス基板１」、「背面側のガラス基板９」、「光反射層５」は、本願発明の「放電セル」、「前面基板」、「背面基板」、「反射層」にそれぞれ相当する。
　また、本願発明の「前記遮光層を誘電体層表面に投影した領域の少なくとも一部と重なり、かつ前記電極を誘電体層表面に投影した領域の少なくとも一部と重ならないように、誘電体層表面に反射層を配置した」という、「遮光層」、「電極」、「誘電体層」、及び「反射層」の位置関係は、発明の詳細な説明（第７１，７２段落等）を参酌すると、「誘電体層の表面に垂直な方向にみて、前記遮光層の少なくとも一部と重なり、かつ前記電極の少なくとも一部と重ならないように、誘電体層表面に反射層を配置した」ものともいえるから、引用発明の「誘電体層６の表面に垂直な方向にみて、前記遮光層４の少なくとも一部と重なり、かつ前記電極２，３の少なくとも一部と重ならないように」、「光反射層５を配置した」は、本願発明の「前記遮光層を誘電体層表面に投影した領域の少なくとも一部と重なり、かつ前記電極を誘電体層表面に投影した領域の少なくとも一部と重ならないように」、「反射層を配置した」に相当するといえる。
　
　してみると、本願発明と引用発明の両者は、
「放電セルを構成するための対を成す複数の電極と遮光層を覆う誘電体層を形成した前面基板と、放電により発生する紫外線を可視光に変換する蛍光体層を形成した背面基板とを備え、前記前面基板と前記背面基板とを対向して配置したプラズマディスプレイパネルであって、誘電体層表面に垂直な方向にみて、前記遮光層の少なくとも一部と重なり、かつ前記電極の少なくとも一部と重ならないように、誘電体層付近に反射層を配置したことを特徴とするプラズマディスプレイパネル。」の点で一致し、以下の点で相違する。
　
［相違点］
　可視光を反射するために誘電体層付近に配置された反射層の位置について、本願発明は「誘電体層表面」に配置したものであるのに対し、引用発明は「誘電体層に覆われて」配置したものである点で相違する。
　
４　当審の判断
　前記相違点について検討する。
　放電セルを構成するための対を成す複数の電極と遮光層を覆う誘電体層を形成した前面基板と、放電により発生する紫外線を可視光に変換する蛍光体層を形成した背面基板とを備え、前記前面基板と前記背面基板とを対向して配置したプラズマディスプレイパネルにおいて、可視光を反射するために誘電体層付近に配置された反射層を、誘電体層に対してどの位置に配置するかは、限られた範囲（誘電体層の前面基板側、背面基板側、もしくは誘電体層の中のいずれか）の中で、当業者が適宜に設定しうる事項であるから（引用例には、反射層を、誘電体層より前面基板側に配置したもの（図１参照）と誘電体層より背面基板側に配置したもの（図２参照）の実施形態が、適宜に選択して実施しうるものとして記載されており、また、本願出願前に頒布された刊行物である特開平１０−２６９９５１号公報にも、同様に、光吸収防止層４８（本願発明の「反射層」に相当）を、誘電体層１７より前面側の基板側に配置したもの（図２参照）と誘電体層１７ｂ表面（誘電体層１７内部）に配置したもの（図４参照）の実施形態が、適宜に選択して実施しうるものとして記載されている。）、引用発明において、誘電体層に覆われて配置された反射層の位置を、背面基板側である「誘電体層表面」とする程度のことは、当業者が格別な創意工夫を要することなく、適宜になし得る事項である。
　
　そして、本願発明の作用効果は、引用例記載の発明から当業者が予測可能なものであって、格別なものとはいえない。
　
 ５　むすび 
　以上のとおり、本願発明は、引用発明に基づいて当業者が容易に発明をすることができたものであるから、特許法第２９条第２項の規定により特許を受けることができない。
　したがって、本願は拒絶すべきものである。
　
　よって、結論のとおり審決する。